(57)【要約】【課題】  撮影画像表示部のついたリモコン装置を撮影者が操作する際、該リモコン装置が撮像装置本体に装着または内蔵されている状態で表示されていた撮影画像を、本体から取り外しリモコン装置として利用する時に、自動または手動の切り換え手段によって鏡像変換し、操作性を向上させた撮像装置およびリモコンシステムを提供する。【解決手段】  撮像装置とそれに内蔵されていた画像表示部のついたリモコン装置について、撮像データを鏡像変換回路により鏡像変換させた画像データをリモコン装置に送信し、リモコン装置の表示部に表示するとともに、記録する。鏡像変換回路を通すかどうかの切り換えの方法として、第１の手段として撮影者が手動の切り換え手段を操作する方法、第２にリモコン装置の離脱を判断した場合に自動で切り換える方法（Ｓ１２，Ｓ１３）、第３にリモコン装置の位置を検出し切り換える方法がある。【選択図】        図６
2005217877.tif 000002
【特許請求の範囲】
【請求項１】
撮影画像表示部を備え、しかも表示部が撮像装置本体から着脱可能でレリーズ操作などのリモコン操作が可能な装置を備えた撮像装置において、表示画像および記録画像を鏡像に変換するための切り換え操作手段と、切り換え信号および操作信号と画像信号の送受信手段と、画像信号の変換を行う制御手段を備えた撮像装置。
【請求項２】
請求項１記載の撮像装置において、撮影画像表示部を備えたリモコン装置を本体から離脱させた時に、表示画像および記録画像を鏡像に自動的に変換させるための切り換え手段と操作信号と画像信号の送受信手段と画像信号の変換を行う制御手段を備えた撮像装置。
【請求項３】
請求項１記載の撮像装置において、撮影画像表示部を備えたリモコン装置が撮像装置本体の前方と後方のどちらに存在するかの判断を行う検出手段と、該リモコン装置が該撮像装置の前方に存在する場合、表示画像および記録画像を鏡像へと変換を行う制御手段と
操作信号と画像信号の送受信手段を備えた撮像装置。
【請求項４】
リモコンに付設した画像表示部の表示画像を鏡像に変換する手段を設けたリモコン装置。
【発明の詳細な説明】
【技術分野】
【０００１】
本発明は、撮像装置本体から着脱可能でレリーズ操作などのリモコン操作が可能な撮影画像表示部を備えた装置をもつ撮像装置、および画像表示部のついたリモコン装置に関する発明である。
【背景技術】
【０００２】
撮影画像表示部をもったリモコン装置で本体と着脱可能とした撮像装置についての提案は数多くされている。また、下記特許文献１では撮影者がリモコン装置を操作する際、撮影者本人を撮影する際には記録画像を鏡像に変換するような発明がなされている。下記特許文献２では、カメラ一体型記録装置において液晶表示画面の表示画像を上下１８０゜反転させるような変換を行う実施例が提案されている。
【特許文献１】特開平０８−０４６８３４号公報
【特許文献２】特開平１０−１３６２４０号公報
【発明の開示】
【発明が解決しようとする課題】
【０００３】
撮影者は撮影者本人を、リモコン装置を使用して撮影するような場合、鏡のように左右反対になった試写画像を見ながらであると構図を決める際など操作をしやすい。しかしながら上記従来例では、本体内蔵の撮影画像表示部や記録画像のみの鏡像変換を行う発明や表示画像の上下反転切り換えを行うような提案はされているが、撮影画像表示部のついたリモコン装置を撮影者が操作する際、該リモコン装置が撮像装置本体に装着または内蔵されている状態で表示されていた撮影画像を、本体から取り外しリモコン装置として利用する時に、自動または手動の切り換え手段によって鏡像変換するような位相変換を行うような提案はされていない。
このため、操作性の向上が求められる。
【課題を解決するための手段】
【０００４】
本発明では、まず第１の方法として、該撮像装置において本体に内蔵されていた画像表示部のついたリモコン装置を本体から外した際に、操作者が手動の切り換え手段を操作することにより、表示画像および記録画像を鏡像に変換するような手段、
また、第２の方法としてリモコン装置を本体から取り外した時に、自動的に表示画像および記録画像を鏡像に変換するような手段、
第３の方法としてリモコン装置が撮像装置の撮像側である正面側にあるか背面側にあるかを検出する手段によって、該リモコン装置が撮像側にあると判断された場合に表示画像および記録画像を自動的に鏡像に変換するような手段を提案する。
【０００５】
以上の方法により、撮影者はモニタ表示部のついたリモコンを操作する際、鏡像に変換された画像を確認しながら撮影操作を行うことが可能となり、操作上の煩わしさが軽減される。
【発明の効果】
【０００６】
本発明の撮像装置では、モニタ表示部を本体から離脱させてリモコン装置として使用する際、手動または自動の切り換え手段によって表示画像の鏡像変換が可能であるため撮影の操作性が向上できる。
【発明を実施するための最良の形態】
【０００７】
以下本発明を実施するための最良の形態を、実施例により詳しく説明する。
【実施例１】
【０００８】
図１は本発明の第１実施例に関わる撮像装置としてのデジタルスチルカメラシステムの構成を示す図であり、デジタルスチルカメラ１１に対してリモコンレリーズ信号等を送信してデジタルスチルカメラ１１に動作を実行させるリモコン装置２１とから構成される。
【０００９】
デジタルスチルカメラ１１の正面には撮影レンズ１４、ファインダ窓１５、ストロボ１６に加えて、カメラ側受光部１２とカメラ側投光部１３とが設けられている。また、デジタルスチルカメラ１１の上面にはレリーズボタン１７が設けられている。
【００１０】
また、リモコン装置２１の前面にはリモコン側投光部２２とリモコン側受光部２３とが設けられ、リモコン装置２１の上面にはＬＣＤモニタ２４とリモコンレリーズボタン２５とコマンドセレクトボタン２６とコマンドキーレバー２７とが設けられている。さらに、リモコン側面部には鏡像切り換えレバー２８を設置している。
【００１１】
図２は該デジタルカメラシステムの背面斜視図である。デジタルスチルカメラ１１の背面にはリモコン収納蓋３１、接眼側ファインダ窓３２、ズームレバー３３を設置している。（ａ）はリモコン装置収納状態、（ｂ）はリモコン収納蓋を開けた状態、（ｃ）はリモコン装置をカメラから離脱させた状態を示している。リモコン装置２１はデジタルカメラ本体１１から離脱させると、レリーズ操作やその他の設定操作を遠隔操作ができるほか、プレヴュー画像を動画としてＬＣＤモニタ２４により確認できる。
【００１２】
本発明の撮像装置のシステムは図２のように画像表示部のついたリモコン装置が撮像装置本体から着脱可能であることが特徴であり、図３のようにリモコン装置の画像表示部における画像を以下に述べるような手段によって左右反転の鏡像変換を行う方法についての提案である。
【００１３】
上記した構成において、撮影レンズ１４から取り込まれた被写体像は撮像素子に取り込まれ、画像処理回路を通じて電子画像データに変換される。得られた電子画像データはカメラ側投光部１３から光信号の形態で投光される。
【００１４】
投光された電子画像データはリモコン装置２１のリモコン側受光部２２を介してリモコン内部に取り込まれて所定の信号処理が施された後、ＬＣＤモニタ２４に逐次表示される。これにより撮影者はあらかじめ撮影する画像を動画として確認することができる。このとき、図３のように鏡像切り換えレバー２８をオンにすると、鏡像切り換え操作に関する信号がリモコン側投光部２３から投光される。この投光信号はカメラ側受光部２１を通じて制御回路に送られ、画像処理回路から鏡像変換回路を通じて撮影画像を鏡像に変換するような制御を行う。さらに鏡像に変換された電子画像データが改めてカメラ側投光部１３から光信号の形態で投光される。投光された電子画像データはリモコン装置２１のリモコン側受光部２２を介してリモコン内部に取り込まれて所定の信号処理が施された後、ＬＣＤモニタ２４に表示される。
【００１５】
また、撮影者がリモコンレリーズボタン２５を押すと、リモコン側投光部２３からレリーズ操作に関する信号が投光される。この投光信号はデジタルスチルカメラ１１のカメラ側受光部１２を介してカメラ内部に取り込まれてリモコンレリーズ信号であるかどうかが判断される。ここでリモコンレリーズ信号であると判断された場合には被写体像を撮像素子に記録する撮像動作が行なわれる。
【００１６】
図４は上記デジタルスチルカメラの概略構成を示すブロック図である。該デジタルスチルカメラの構成は前記の通りである（図１、２参照）。
撮像手段として、撮影レンズ１１０、撮像素子１１１、画像処理回路１１２が設けられている。また、受信手段として、カメラ側受光レンズ１００、受光素子１０１、信号処理回路１０２が設けられている。さらに、画像送信手段として、カメラ側投光レンズ１０５、投光素子１０６、駆動回路１０７が設けられている。撮像レンズを通して撮像素子に結像され、得られたアナログ信号は画像処理回路１１２に送られてデジタル信号に変換された後、電子画像データとして制御回路１０３に入力される。制御回路１０３に入力された電子画像データはリモコンがカメラに装着されているときには、リモコンとカメラのデータ転送を行う接続端子を通じてＬＣＤモニタ２４に表示したり、画像記憶回路１０８に記憶することが可能である。また、レリーズスイッチ１１３は前記したレリーズボタン１７に連動してＯＮするスイッチである。
【００１７】
上記した構成において、カメラ側受光レンズ１００を通った各信号は受光素子１０１で電気信号に変換された後、信号処理回路１０２で波形整形されて制御回路１０３に入力される。制御回路１０３はリモコンレリーズ信号であることを確認すると、被写体像を電子画像データとして取り込む撮像動作を行う。該信号がコマンド選択信号であるときは所望の設定操作を行う。また、該信号が鏡像変換信号であるときは、後述するフローに従い、電子画像データは画像処理回路から鏡像変換回路へ送られ、鏡像変換された電子画像データが制御回路へ送られることになる。
【００１８】
また、駆動回路１０７は、取り込まれた電子画像データを、投光素子１０６を駆動するためのパルス信号に変換する。投光素子１０６は当該パルス信号により駆動されて対応する光信号を出力する。この光信号はカメラ側投光レンズ１０５を介してリモコン装置２１へと投光される。
【００１９】
図５はリモコン側の概略構成を示すブロック図である。画像信号などの受信手段として、リモコン側受光レンズ２０６、受光素子２０５、信号処理回路２０４が設けられている。光信号として送られてきた画像信号はリモコン側受光レンズ２０６を通り、受光素子２０５に送られた光信号はパルス信号に変えられ、信号処理回路２０４でデジタル信号に変換された後、電子画像データとして制御回路１０３に入力される。制御回路１０３に入力された電子画像データはＬＣＤモニタ２４に表示される。
【００２０】
さらに、各コマンド送信手段として、リモコン側投光レンズ２０３、投光素子２０２、駆動回路２０１が設けられている。また、リモコンレリーズスイッチ２０８は前記したレリーズボタン２５に、コマンドスイッチ２０９は前記コマンドボタン２６に、鏡像切り換えスイッチ２１０は前記鏡像切り換えスイッチ２８にそれぞれ連動してＯＮするスイッチである。
【００２１】
図６は本実施形態による鏡像切り換えとレリーズ動作に関する動作シーケンスを説明するためのフローチャートである。
【００２２】
まず、ステップＳ１０ではリモコン装置２１が本体に装着されているかどうかの判断を行う。そこでＹｅｓならば、つまりリモコン装置２１がカメラ本体１１に装着されていると判断された場合には、ステップＳ１１で撮像素子に取り込まれた画像はそのままＬＣＤモニタ２４に表示される。
【００２３】
ＮＯの場合、つまりリモコン装置２１がカメラ本体１１から離脱した状態と判断された場合はステップＳ１２に進んで鏡像切り換えスイッチ２８がＯＮに入っているかどうかの判断を行う。ここでスイッチがＯＮであると判断された場合、ステップＳ１３で鏡像変換を行い、ステップＳ１４でＬＣＤモニタ２４にその鏡像変換された画像を表示する。ステップＳ１２でＮＯの場合、つまり鏡像切り換えスイッチ２８がＯＦＦであると判断された場合にはステップＳ１４に進み、結像画像はそのままＬＣＤモニタ２４に表示される。
【００２４】
ステップＳ１６では本体レリーズボタン１７、ステップＳ１５ではリモコンレリーズボタン２５がＯＮしたときにはステップＳ１７で撮影を行い、ステップＳ１８で画像を記録する。ＯＦＦの場合はそのまま上のステップに戻り待機状態にある。
【００２５】
この方法により撮影者は自分の意思で、鏡像切り換えのスイッチ操作を行うことによってリモコンに表示された鏡像データを確認しながら撮影することができる。
【００２６】
なお、リモコン装置と撮像装置本体の装着方法および着脱の検出手段、鏡像への選択切り換えの手段、モニタ表示手段はすでに公知の手段が種々あるので、いずれの手段を用いてもよい。
【実施例２】
【００２７】
図７は本発明第２の実施形態に係る撮像装置としてのデジタルスチルカメラについて、リモコン装置の着脱状態によるリモコンモニタ表示画像の変化を説明するものである。左図（ａ）はリモコン装置装着、収納状態のデジタルスチルカメラの背面図、中央（ｂ）はリモコン収納蓋が開蓋状態の同デジタルスチルカメラの背面図、右図（ｃ）がリモコン装置をカメラ本体から離脱させた状態の同デジタルスチルカメラの背面図となっている。
【００２８】
本実施例のデジタルスチルカメラの基本構成は第１実施例と同様である。ただし、リモコン装置２１には鏡像切り替えスイッチ２８は設けていない。この方法では、リモコン装置２１をカメラ本体１１に装着している状態から離脱させると、不図示である本体とのデータ転送を行っている接続端子などの離脱を電気的、あるいは機械的に判断する手段によって、リモコン装置２１が離脱したことを検出した場合に自動的にＬＣＤモニタ２４の表示画像５１を鏡像５２に変換する。
【００２９】
図８は本実施形態による鏡像切り換えとレリーズ動作に関する動作シーケンスを説明するためのフローチャートである。第１実施例と異なる点は（図５参照）、鏡像切り換えスイッチを設けずに、ステップＳ２０でリモコンがカメラ本体に装着されているかの判断を行い、リモコンが本体から離脱しているとき、ステップＳ２２でモニタ表示画像の鏡像変換を行うという点である。
この方法は、撮影者がリモコンを使用する際には、撮影者自身を撮影することが多いことから、リモコン装置を本体から離脱させた時点でモニタの表示画像を鏡像変換させて、操作性を向上させるものである。
なお、リモコン装置と撮像装置本体の装着方法および着脱の検出手段、モニタ表示手段は公知のものが種々あるのでいずれの手段を用いてもよい。
【実施例３】
【００３０】
図９、図１０は本発明、第３の実施形態に係る撮像装置としてのデジタルスチルカメラに関してリモコン装置の撮像装置本体に対する位置によってリモコン装置のモニタ表示画像を鏡像変換するシステムについて説明する図である。図９はカメラ正面（撮像方向）にリモコンが存在する場合、図１０はカメラ背面にリモコンが存在する場合の図である。
【００３１】
デジタルスチルカメラ本体１１の正面には撮像レンズ１４、ファインダ窓１５、ストロボ１６、上面にはレリーズボタン１７の他に、リモコン装置２１とのデータの無線送受信を行うための送受信ユニット６１が、背面にはリモコン収納蓋３１、接眼側ファインダ窓３２、ズームレバー３３が設けてある。リモコン装置２１は、第２実施例と同様の構成である。該送受信ユニット６１の内部はカメラ正面からのリモコン装置２１との送受信を行うための正面側受光部６２、正面側投光部６３、正背面仕切り板６４、カメラ背面にリモコン装置２１がある場合の送受信を行うための背面側受光部７１、背面側投光部７２が設けてある。（（図９、図１０参照）。
【００３２】
この方法では、後述のようなフローを通じて、リモコン装置２１の位置を判断し、該リモコン装置がカメラ本体１１の正面（撮像方向）にある場合には撮像素子に取り込まれた画像を鏡像変換したものを該リモコン装置に無線送信し、ＬＣＤモニタ２４に表示する。一方、リモコン装置２１がカメラ本体１１の背面にある場合には撮像素子に取り込まれた画像を鏡像変換せずに無線送信し、ＬＣＤモニタ２４に表示させる。
【００３３】
図１１は上記デジタルスチルカメラの概略構成を示すブロック図である。図４（第１実施例）と異なる点は、受光素子、投光素子がカメラ正面からの信号の送受信を行うものと、背面からの信号の送受信を行うものの、それぞれ２つずつ設置してあり、正面と背面のどちらで信号の送受信が行われているかを制御回路１０３が判断し、正面側の受光素子からの信号がある場合は、撮像素子１１１に取り込まれた画像信号は画像処理回路１１２を通じたのち、鏡像変換回路１０９で信号変換された後、制御回路１０３、駆動回路１０７を通じて正面側投光素子３０２からリモコン装置２１へ光信号として投光される。一方、背面側の受光素子からの信号がある場合には、撮像素子１１１に取り込まれた画像信号は画像処理回路１１２、制御回路１０３、駆動回路１０７を通じ背面側投光素子３０３から該リモコン装置へ光信号として投光される。
図１２は本実施形態による鏡像切り換えとレリーズ動作に関する動作シーケンスを説明するためのフローチャートである。第１実施例と異なる点は（図６参照）、鏡像切り換えスイッチを設けずに、ステップＳ３０でリモコンが本体から離脱していると判断された場合、つまりＮＯの場合、ステップＳ３２で背面側受光素子３０１に赤外線入力有るかどうかの判断が行われ、ＹｅｓならばステップＳ３５で結像画像をＬＣＤモニタ２４に表示する。ＮＯの場合はステップＳ３３で正面側受光素子３００に赤外線入力有るかどうかの判断が行われ、ＹｅｓならばＳ３４で結像画像の鏡像変換を行い、ステップＳ３５で鏡像変換された画像を表示する。ステップＳ３３でＮＯの場合は、ステップＳ３０まで戻る。
【００３４】
なお、リモコン装置が撮像装置本体の正面にあるか背面にあるかの判断を行う手段、リモコン装置と撮像装置本体の装着方法および着脱の検出手段、モニタ表示手段は、公知の手段が種々あるのでいずれの手段を用いてもよい。
【図面の簡単な説明】
【００３５】
【図１】本発明の第１実施の形態を示すデジタルスチルカメラの外観斜視図
【図２】本発明の実施例であるデジタルスチルカメラシステムのリモコン装置の着脱の様態を説明するための背面からの外観斜視図（ａ）リモコン装置収納・装着状態（ｂ）リモコン収納蓋開蓋・リモコン装置装着状態（ｃ）リモコン離脱状態
【図３】上記デジタルスチルカメラのリモコン装置に関して鏡像切り換えの手段を作動させた場合を説明するためのリモコン装置の斜視図（ａ）鏡像切り換えスイッチＯＮ状態、（ｂ）鏡像切り換えスイッチＯＦＦ状態
【図４】上記デジタルスチルカメラのカメラ本体の構成を示すブロック系統図
【図５】上記デジタルスチルカメラのリモコン装置の構成を示すブロック系統図
【図６】上記デジタルスチルカメラの鏡像切り換えとレリーズ動作に関する動作シーケンスを示すフローチャート
【図７】本発明の第２実施形態を示すデジタルスチルカメラのリモコン装置の着脱状態によるリモコンモニタ表示画像の変化を説明する、該画像表示状態を変えた３台のカメラの背面から見た外観斜視図（ａ）リモコン装置収納・装着状態（ｂ）リモコン収納蓋開蓋・リモコン装置装着状態（ｃ）リモコン離脱状態
【図８】上記デジタルスチルカメラの鏡像切り換えとレリーズ動作に関する動作シーケンスを示すフローチャート
【図９】本発明の第３実施形態を示すデジタルスチルカメラシステムのリモコン装置の正面にリモコン装置が存在する場合を示した外観斜視図
【図１０】上記デジタルスチルカメラシステムのリモコン装置の背面にリモコン装置が存在する場合を示した外観斜視図
【図１１】上記デジタルスチルカメラのカメラ本体の構成を示すブロック系統図
【図１２】上記デジタルスチルカメラの鏡像切り換えとレリーズ動作に関する動作シーケンスを示すフローチャート
【符号の説明】
【００３６】
１１    デジタルスチルカメラ
１２    カメラ側受光部
１３    カメラ側投光部
２１    リモコン装置
２２    リモコン側投光部
２３    リモコン側受光部
２４    ＬＣＤモニタ
２５    リモコンレリーズボタン
２８    鏡像切り換えスイッチ
３１      リモコン収納蓋
４０    表示画像ａ
４１    表示画像ｂ（４０の鏡像）
６１    送受信ユニット
６２    正面側受光部
６３    正面側投光部
６４    正背面仕切り板
７１    背面側受光部
７２    背面側投光部
【図１】
2005217877.tif 000003
【図２】
2005217877.tif 000004
【図３】
2005217877.tif 000005
【図４】
2005217877.tif 000006
【図５】
2005217877.tif 000007
【図６】
2005217877.tif 000008
【図７】
2005217877.tif 000009
【図８】
2005217877.tif 000010
【図９】
2005217877.tif 000011
【図１０】
2005217877.tif 000012
【図１１】
2005217877.tif 000013
【図１２】
2005217877.tif 000014